(57)【特許請求の範囲】
【請求項１】
複数の床躯体が積層配置された鉄筋コンクリート造構造物の外周部分に、外壁版を取り付ける外壁版取付け方法であって、
前記外壁版は、板状の外壁版本体と、当該外壁版本体の下端側に設けられた第１外壁版ファスナーと、前記外壁版本体の上端側に設けられた第２外壁版ファスナーと、を備え、
第ｎ（ｎは整数）層の床躯体が構築されて、当該床躯体に第１床躯体ファスナーおよび第２床躯体ファスナーが設けられた状態で、前記外壁版を用意し、当該外壁版の第２外壁版ファスナーに第（ｎ＋１）層の床躯体のための第２床躯体ファスナーを仮固定する工程と、
前記外壁版の第１外壁版ファスナーが前記第ｎ層の前記第１床躯体ファスナーの上面に当接するように、前記外壁版を当該第ｎ層に建て込む工程と、
第（ｎ＋１）層の床躯体の型枠を建て込んで、当該型枠内に前記外壁版の第２外壁版ファスナーに仮固定された第２床躯体ファスナーを位置させるとともに、前記型枠内に前記第１床躯体ファスナーを取り付ける工程と、
前記型枠内に配筋してコンクリートを打設することで、当該第（ｎ＋１）層の床躯体を構築する工程と、を繰り返すことを特徴とする外壁版取付け方法。
【請求項２】
複数の床躯体が積層配置された鉄筋コンクリート造構造物の外周部分に、外壁版を取り付ける外壁版取付け構造であって、
前記外壁版は、板状の外壁版本体と、
当該外壁版本体の下端側に設けられた第１外壁版ファスナーと、
前記外壁版本体の上端側に設けられた第２外壁版ファスナーと、を備え、
各床躯体は、前記第１外壁版ファスナーが載置される第１床躯体ファスナーと、前記第２外壁版ファスナーを所定の自由度が確保された状態で支持する第２床躯体ファスナーと、を備え、
前記外壁版を建て込む際、当該外壁版の第２外壁版ファスナーには、当該外壁版の上側の床躯体のための第２床躯体ファスナーが仮固定されていることを特徴とする外壁版取付け構造。
【発明の詳細な説明】
【技術分野】
【０００１】
本発明は、外壁版取付け方法および外壁版取付け構造に関する。詳しくは、複数の床躯体が積層配置された鉄筋コンクリート造構造物の外周部分に、外壁版を取り付ける外壁版取付け方法および外壁版取付け構造に関する。
【背景技術】
【０００２】
従来より、プレキャストコンクリート製の外壁版が取り付けられた建物がある。この外壁版は、例えば、ファスナーを介して梁や床などの躯体に支持される。ファスナーは、外壁版に固定された外壁側ファスナーと、躯体に固定された躯体側ファスナーと、で構成され、外壁側ファスナーと躯体側ファスナーとを連結することにより、外壁版が躯体に支持される。
【０００３】
この建物は、例えば、以下のような手順で構築される（特許文献１参照）。
すなわち、所定階の床躯体が構築された状態で、この所定階に外壁版を建て込んで、押し引きサポートやチェーンなどを用いて、外壁版を所定階に仮固定する。次に、所定階の上階の床躯体を構築し、その後、この上階の床躯体に外壁版を支持させる。このような手順を繰り返すことで、下層から上層に向かって建物を構築する。
【先行技術文献】
【特許文献】
【０００４】
【特許文献１】特開２００２−１０６１７４号公報
【発明の概要】
【発明が解決しようとする課題】
【０００５】
ところで、以上のような手法では、床躯体を構築する際、躯体側ファスナーを所定位置に配置して、床躯体の型枠や鉄筋材に固定する必要がある。しかしながら、躯体側ファスナーを所定位置に配置しようとすると、既に設置してある外壁版や外壁側ファスナーが躯体側ファスナーの固定作業の障害となって、施工性が低下する、という問題があった。
特に、躯体側ファスナーが大型の金物である場合には、躯体側ファスナーの運搬や配置にかなりの手間がかかってしまい、施工性が大きく低下する、という問題があった。
【０００６】
本発明は、躯体側のファスナーの施工性を向上できる外壁版取付け方法および外壁版取付け構造を提供することを目的とする。
【課題を解決するための手段】
【０００７】
請求項１に記載の外壁版取付け方法は、複数の床躯体が積層配置された鉄筋コンクリート造構造物の外周部分に、外壁版を取り付ける外壁版取付け方法であって、前記外壁版は、板状の外壁版本体と、当該外壁版本体の下端側に設けられた第１外壁版ファスナーと、前記外壁版本体の上端側に設けられた第２外壁版ファスナーと、を備え、第ｎ（ｎは整数）層の床躯体が構築されて、当該床躯体に第１床躯体ファスナーおよび第２床躯体ファスナーが設けられた状態で、前記外壁版を用意し、当該外壁版の第２外壁版ファスナーに第（ｎ＋１）層の床躯体のための第２床躯体ファスナーを仮固定する工程と、前記外壁版の第１外壁版ファスナーが前記第ｎ層の前記第１床躯体ファスナーの上面に当接するように、前記外壁版を当該第ｎ層に建て込む工程と、第（ｎ＋１）層の床躯体の型枠を建て込んで、当該型枠内に前記外壁版の第２外壁版ファスナーに仮固定された第２床躯体ファスナーを位置させるとともに、前記型枠内に前記第１床躯体ファスナーを取り付ける工程と、前記型枠内に配筋してコンクリートを打設することで、当該第（ｎ＋１）層の床躯体を構築する工程と、を繰り返すことを特徴とする。
【０００８】
請求項２に記載の外壁版取付け構造は、複数の床躯体が積層配置された鉄筋コンクリート造構造物の外周部分に、外壁版を取り付ける外壁版取付け構造であって、前記外壁版は、板状の外壁版本体と、当該外壁版本体の下端側に設けられた第１外壁版ファスナーと、前記外壁版本体の上端側に設けられた第２外壁版ファスナーと、を備え、各床躯体は、前記第１外壁版ファスナーが載置される第１床躯体ファスナーと、前記第２外壁版ファスナーを所定の自由度が確保された状態で支持する第２床躯体ファスナーと、を備え、前記外壁版を建て込む際、当該外壁版の第２外壁版ファスナーには、当該外壁版の上側の床躯体のための第２床躯体ファスナーが仮固定されていることを特徴とする。
【０００９】
この発明によれば、外壁版を建て込む際、この外壁版の第２外壁版ファスナーに、この外壁版の上側の床躯体のための第２床躯体ファスナーを仮固定した。よって、外壁版を建て込むだけで、第２床躯体ファスナーが所定位置に配置されるから、上側の床躯体を構築する際、この床躯体に打ち込む第２床躯体ファスナーを床躯体の取付け場所まで運搬して配置する必要がなくなるので、躯体側のファスナーの施工性を向上できる。
特に、躯体側のファスナーが大型の金物である場合には、この躯体側のファスナーの運搬手間が増大するため、このような効果が顕著となる。
【発明の効果】
【００１０】
本発明によれば、外壁版を建て込む際、この外壁版の第２外壁版ファスナーに、この外壁版の上側の床躯体のための第２床躯体ファスナーを仮固定した。よって、外壁版を建て込むだけで、第２床躯体ファスナーが所定位置に配置されるから、上側の床躯体を構築する際、この床躯体に打ち込む第２床躯体ファスナーを床躯体の取付け場所まで運搬して配置する必要がなくなるので、躯体側のファスナーの施工性を向上できる。特に、躯体側のファスナーが大型の金物である場合には、この躯体側のファスナーの運搬手間が増大するため、このような効果が顕著となる。
【図面の簡単な説明】
【００１１】
【図１】本発明の一実施形態に係る外壁版取付け方法が適用されたカーテンウォールの背面図である。
【図２】前記実施形態に係るカーテンウォールのファスナー部分の横断面図である。
【図３】前記実施形態に係るカーテンウォールのファスナー部分の縦断面図である。
【図４】図３のＡ−Ａ断面図である。
【図５】図３のＢ−Ｂ断面図である。
【図６】前記実施形態に係る建物を構築する手順を説明するための図（その１）である。
【図７】前記実施形態に係る建物を構築する手順を説明するための図（その２）である。
【発明を実施するための形態】
【００１２】
図１は、本発明の一実施形態に係る外壁版取付け方法が適用された外壁版としてのカーテンウォール１の背面図である。
カーテンウォール１は、鉄筋コンクリート造構造物としての建物２の外周部分に取り付けられる。
建物２は、梁３（図４、図５参照）、床躯体としての床４、および図示しない柱などで構成される。この建物２は、複数層のフロアを有しているため、床４は、上下に複数積層配置されている。
【００１３】
カーテンウォール１は、プレキャストコンクリートである板状の外壁版本体１０と、この外壁版本体１０の下端側に設けられた一対の第１外壁版ファスナー１１と、外壁版本体１０の上端側に設けられた一対の第２外壁版ファスナー１２と、を備える。
第２外壁版ファスナー１２は、当該カーテンウォール１の直上に位置するカーテンウォール１まで延びて、この直上のカーテンウォール１に連結されている。
【００１４】
各床４は、カーテンウォール１の第１外壁版ファスナー１１が載置される第１床躯体ファスナー２１と、カーテンウォール１の第２外壁版ファスナー１２を所定の自由度が確保された状態で支持する第２床躯体ファスナー２２と、を備える。
【００１５】
図２および図３は、カーテンウォール１のファスナー部分の横断面図および縦断面図である。図４は、図３のＡ−Ａ断面図であり、図５は、図３のＢ−Ｂ断面図である。
【００１６】
第１床躯体ファスナー２１は、床４の鉄筋コンクリート躯体に打ち込まれた略Ｌ字形状のファスナー本体２１１と、このファスナー本体２１１に接合されたシアー筋２１２と、を備える。
ファスナー本体２１１の上面は、床４から露出して、床４と面一となっている。
【００１７】
第１外壁版ファスナー１１は、外壁版本体１０の背面側に設けられた略Ｌ字形状のファスナー本体１１１と、このファスナー本体１１１に螺合されて先端で第１床躯体ファスナー２１に当接するボルト１１２と、ファスナー本体１１１に接合されて外壁版本体１０の内部に向かって延びる一対の平板状のプレート１１３と、これらプレート１１３に接合されて外壁版本体１０の延出方向に沿って延びるシアー筋１１４と、を備える。
【００１８】
ボルト１１２は、鉛直方向に延びており、このボルト１１２の先端は、第１床躯体ファスナー２１のファスナー本体２１１の上面に当接している。
このボルト１１２を回転させて、第１床躯体ファスナー２１のファスナー本体１１１からボルト１１２の先端までの距離を変化させることで、カーテンウォール１の床４の表面からの高さが調整可能となっている。
【００１９】
第２床躯体ファスナー２２は、床４の鉄筋コンクリート躯体に打ち込まれた平板状のプレート２２１と、このプレート２２１に接合されて水平方向に沿って延びるシアー筋２２２と、プレート２２１に接合されて床４の表面から突出して略鉛直方向に延びるボルト２２３と、を備える。
【００２０】
第２外壁版ファスナー１２は、外壁版本体１０の背面側の表面に沿って設けられた平板状のプレート１２１と、このプレート１２１に接合されて床４の表面に略平行に延びるプレート１２２と、プレート１２１に接合されて外壁版本体１０の内部まで延びる一対の平板状のプレート１２３と、これらプレート１２３に接合されて外壁版本体１０の延出方向に沿って延びるシアー筋１２４と、を備える。
【００２１】
プレート１２２には貫通孔１２５が形成され、この貫通孔１２５には、第２床躯体ファスナー２２のボルト２２３が挿通されている。これにより、カーテンウォール１は、床４に対して鉛直方向にスライド可能となっている。
【００２２】
また、プレート１２１の上部は、直上のカーテンウォール１まで延びて、この直上のカーテンウォール１の外壁版本体１０に連結されている。
具体的には、プレート１２１の上部には、鉛直方向に延びるルーズホール１２６が形成されている。一方、カーテンウォール１の外壁版本体１０の下部には、水平方向に突出するボルト１０１が設けられている。このボルト１０１は、プレート１２１のルーズホール１２６に挿通されて、ナット１２７が締め付けられている。これにより、直上のカーテンウォール１は、このカーテンウォール１に対して鉛直方向にスライド可能となっている。
【００２３】
また、プレート１２１の上部には、水平方向に延びるボルト１２８が螺合され、このボルト１２８の先端は、直上のカーテンウォール１の外壁版本体１０の表面に当接している。
このボルト１２８を回転させて、プレート１２１からボルト１１８の先端までの距離を変化させることで、カーテンウォール１の面外方向の突出寸法を調整可能となっている。
【００２４】
以上の建物２を構築する手順について、図６および図７を参照しながら説明する。
初期状態として、図６に示すように、第ｎ層の床４が構築されて、この床４の鉄筋コンクリート躯体には、第１床躯体ファスナー２１および第２床躯体ファスナー２２が打ち込まれているものとする。
また、（ｎ−１）層のカーテンウォール１の第２外壁版ファスナー１２は、床４に打ち込まれた第２床躯体ファスナー２２に連結された状態である。
【００２５】
まず、第ｎ層のカーテンウォール１を用意し、このカーテンウォール１の第２外壁版ファスナー１２に、第（ｎ＋１）層のための第２床躯体ファスナー２２を仮固定する。
【００２６】
次に、図７に示すように、この用意したカーテンウォール１を第ｎ層に建て込んで、図示しない押し引きサポートやチェーンなどにより第ｎ層の床４に仮支持させる。
このとき、カーテンウォール１の第１外壁版ファスナー１１のボルト１１２を、第ｎ層の床４の第１床躯体ファスナー２１の上面に当接させる。また、カーテンウォール１のボルト１０１を第２外壁版ファスナー１２のルーズホール１２６に挿通して、ナット１２７を締め付ける。
【００２７】
次に、第（ｎ＋１）層の床４（図７中破線で示す）の型枠を建て込んで、この型枠内にカーテンウォール１の第２外壁版ファスナー１２に仮固定された第２床躯体ファスナー２２を位置させる。また、図示しないが、床４の型枠内に第（ｎ＋１）層のカーテンウォール１のための第１床躯体ファスナー２１を取り付ける。
【００２８】
次に、床４の型枠内に配筋してコンクリートを打設して、第（ｎ＋１）層の床４を構築する。これにより、第（ｎ＋１）層の床４の鉄筋コンクリート躯体には、第１床躯体ファスナー２１および第２床躯体ファスナー２２が打ち込まれて、第ｎ層のカーテンウォール１が支持される。
その後、押し引きサポートやチェーンなどを撤去する。
【００２９】
以上の工程を、ｎを１ずつ増加しながら繰り返す。
【００３０】
本実施形態によれば、以下のような効果がある。
（１）カーテンウォール１を建て込む際、このカーテンウォール１の第２外壁版ファスナー１２に、このカーテンウォール１の上側の床４のための第２床躯体ファスナー２２を仮固定した。よって、カーテンウォール１を建て込むだけで、第２床躯体ファスナー２２が所定位置に配置されるから、上側の床４を構築する際、この床４に打ち込む第２床躯体ファスナー２２を床４の取付け箇所まで運搬して配置する必要がなくなる。したがって、第２床躯体ファスナー２２の施工性を向上できる。
【００３１】
（２）ボルト１１２によりカーテンウォール１の床４の表面からの高さを調整可能としたので、このボルト１１２を調整することにより、横目地の位置を床４の上面の付近まで下げることができる。
【００３２】
なお、本発明は前記実施形態に限定されるものではなく、本発明の目的を達成できる範囲での変形、改良等は本発明に含まれるものである。
【符号の説明】
【００３３】
１…カーテンウォール（外壁版）
２…建物（鉄筋コンクリート造構造物）
３…梁
４…床（床躯体）
１０…外壁版本体
１１…第１外壁版ファスナー
１２…第２外壁版ファスナー
２０…外壁版本体
２１…第１床躯体ファスナー
２２…第２床躯体ファスナー
１１１…ファスナー本体
１１２…ボルト
１１３…プレート
１１４…シアー筋
１２１…プレート
１２２…プレート
１２３…プレート
１２４…シアー筋
１２５…貫通孔
１２６…ルーズホール
１２７…ナット
１２８…ボルト
２１１…ファスナー本体
２１２…シアー筋
２２１…プレート
２２２…シアー筋
２２３…ボルト
【図１】
0005459784.tif 000002
【図２】
0005459784.tif 000003
【図３】
0005459784.tif 000004
【図４】
0005459784.tif 000005
【図５】
0005459784.tif 000006
【図６】
0005459784.tif 000007
【図７】
0005459784.tif 000008